(57)【要約】【課題】本考案では、着座しながらでも読書やテレビ鑑賞といった行為を行い易く、疲れ難い姿勢を維持して着座することのできる座椅子の提供を目的とする。【解決手段】背凭れ部１３と座部１２との対向端部に、上記座部１２に対する上記背凭れ部１３の傾斜角度を調節可能とする傾斜角度調節手段１８を設けた座椅子１１であって、上記背凭れ部１３を、背部を支持する背部支持部１４と頭部を支持する頭部支持部１５とを有して構成し、これら背部支持部１４と頭部支持部１５との対向端部に、該背部支持部１４に対する上記頭部支持部１５の傾斜角度を調節可能とする傾斜角度調節手段１９を設けた座椅子１１。【選択図】図１
0003130128.tif 000002
【実用新案登録請求の範囲】
【請求項１】
背凭れ部と座部との対向端部に、上記座部に対する上記背凭れ部の傾斜角度を調節可能とする傾斜角度調節手段を設けた座椅子であって、
上記背凭れ部を、背部を支持する背部支持部と頭部を支持する頭部支持部とを有して構成し、
これら背部支持部と頭部支持部との対向端部に、該背部支持部に対する該頭部支持部の傾斜角度を調節可能とする傾斜角度調節手段を設けた
座椅子。
【請求項２】
上記傾斜角度調節手段を、ラチェット部材により構成した
請求項１に記載の座椅子。
【請求項３】
上記背凭れ部、又は／及び、上記座部にバイブレータを備えた
請求項１、又は、請求項２に記載の座椅子。
【考案の詳細な説明】
【技術分野】
【０００１】
この考案は、リクライニング式の座椅子に関し、座部に対して背凭れ部を任意の角度に傾斜させた姿勢に変更させて着座することのできる座椅子に関する。
【背景技術】
【０００２】
座椅子を、座部に対して背凭れ部を傾斜させたいわゆるリクライニング姿勢に変更する場合、利用者に応じた適切な傾斜角度に変更すること望まれる。
【０００３】
例えば、座椅子に対してリラックスした状態で着座する場合は、通常、背凭れ部を緩やかな傾斜角度（大よそ３０度から６０度）に設定すればよい。これに対して、テレビを観たり読書したりする場合は、座椅子の前方や利用者の手元に視界を向ける必要があるため、利用者の頭部を起した姿勢にすることが望まれる。
【０００４】
ところが、従来の座椅子は、座部と背凭れ部との互いの対向端部にラチェットを設けた構造であるため、座部に対して背凭れ部自体の傾斜角度しか調節することしかできなかった。
【０００５】
このため、利用者がこのようにテレビを観たり読書したりする場合は、背凭れ部全体を座部に対してより急勾配（大まかに６０度から９０度）に傾斜させて利用者の上半身全体を起こす必要がある。或いは、緩やかな角度の背凭れ部に凭れた状態で利用者自身が背凭れ部に対して頭部のみを積極的に起こす必要がある。
【０００６】
すなわち、利用者が継続してこのような姿勢を強いられれば、利用者の腰や首に負担がかかり、疲れてしまうといった課題を有する。
【考案の開示】
【考案が解決しようとする課題】
【０００７】
そこで本考案では、着座しながらでも読書やテレビ鑑賞といった行為を行い易く、疲れ難い姿勢を維持して着座することのできる座椅子の提供を目的とする。
【課題を解決するための手段】
【０００８】
本考案における座椅子は、背凭れ部と座部との対向端部に、上記座部に対する上記背凭れ部の傾斜角度を調節可能とする傾斜角度調節手段を設けた座椅子であって、上記背凭れ部を、背部を支持する背部支持部と頭部を支持する頭部支持部とを有して構成し、これら背部支持部と頭部支持部との対向端部に、上記背部支持部に対する上記頭部支持部の傾斜角度を調節可能とする傾斜角度調節手段を設けた構成であることを特徴とする。
【０００９】
上記傾斜角度調節手段は、ラチェット部材により構成することが好ましい。
【００１０】
このように上記傾斜角度調節手段をラチェット部材により構成することにより、傾斜角度調節手段をコンパクトに構成でき、利用者自らが着座しながら手軽に角度調節を行うことができる。
【００１１】
但し、上記傾斜角度調節手段は、上記構成に限定せず、例えば、複数の被係合用の段部が設けられた被係合部材と、座部に対して背凭れ部が所定の傾斜角度ごとに上記被係合部材に係合可能な係合部材により構成することができる。
【００１２】
なお、上記傾斜角度調節手段を、上述したような上記被係合部材と係合部材とで構成する場合、これら上記被係合部材と係合部材とは、それぞれ座部側と背凭れ部側とに分けて備えることができる。
【００１３】
その他にも、上記傾斜角度調節手段には、モータやガスシリンダなどの駆動源を備えて自動で角度調節可能に構成することもできる。
【００１４】
さらに、本考案の座椅子は、上記背凭れ部、又は／及び、上記座部にバイブレータを備えることもできる。
【００１５】
上記バイブレータは、座椅子における着座した利用者の腰や肩に相当する部位に設けることにより、これら部位を効果的にマッサージすることができる。  
勿論、本考案の座椅子は、バイブレータ以外にもヒータなどを別途、設けることもできる。
【考案の効果】
【００１６】
本考案によれば、頭部支持部を背部支持部に対して傾斜させた姿勢に変更することができる。これにより、座部に対して緩やかに傾斜させた背凭れ部によって利用者の背部を支持しつつ、さらに、背部支持部に対して傾斜させた頭部支持部によって着座した利用者の頭部を支持することができる。このため、利用者は、座椅子の前方、或いは、手元に自らの視界が届くよう背部に対して頭部が起きた姿勢で着座することができる。
【００１７】
従って、着座しながらでも読書やテレビ鑑賞といった行為を行い易く、疲れ難い姿勢を維持して着座することのできる。
【考案を実施するための最良の形態】
【００１８】
この考案の一実施形態を、以下、図面を用いて説明する。  
図１，図２、及び、図３は、それぞれ異なる姿勢に変更した状態の本実施形態における座椅子１１の外観図を示す。  
図４は、本実施形態における座椅子１１の内部構成を説明する説明図である。図５は、本実施形態における座椅子１１の姿勢変更の様子を縦断面により示した説明図である。
【００１９】
本実施形態における座椅子１１は、図１から図５に示すように座部１２と背凭れ部１３とを連結し、座部１２に対して背凭れ部１３を傾斜可能に構成している。  
さらに、背凭れ部１３は、利用者の主に背部を支持する背部支持部１４と、主に頭部を支持する頭部支持部１５とを連結し、背部支持部１４に対して頭部支持部１５を図５に示すように傾斜可能に構成している。
【００２０】
上記背凭れ部１３、及び、上記座部１２には、図４（ａ），（ｂ）に示すようにそれぞれスチールパイプにより構成されたフレームを埋設している。  
具体的に、上記座部１２の内部には、座部フレーム１６が配されている。該座部フレーム１６は、座部１２の外周側に配した主フレーム１６ａと、幅方向に適宜、架設した補強フレーム１６ｂとで構成している。一方、上記背凭れ部１３の内部にも、背凭れフレーム１７が配されている。該背凭れフレーム１７も、背凭れ部１３の外周側に配した主フレーム１７ａと、幅方向に適宜、架設した補強フレーム１７ｂとで構成している。
【００２１】
座部フレーム１６と背凭れフレーム１７との対向端部における幅方向の両側には、背凭れ部１３の傾斜角度調節用のラチェット金具１８が設けられている。
【００２２】
また、上記背凭れフレーム１７は、上記背部支持部１４の内部に有する背部支持フレーム２２と、上記頭部支持部１５の内部に有する頭部支持フレーム２３とを連結して構成している。
【００２３】
上記背部支持フレーム２２と頭部支持フレーム２３との対向端部における幅方向の両側にも、頭部支持部１５の傾斜角度調節用のラチェット金具１９が設けられている。
【００２４】
上述した背凭れ部１３の傾斜角度調節用のラチェット金具１８、及び、頭部支持部１５の傾斜角度調節用のラチェット金具１９は、互いに同様の構成をしている。
【００２５】
具体的に、これらラチェット金具１８，１９は、図６（ａ），（ｂ）に示すように回動側に６つのラチェット歯２４ａ…が形成されたラチェット板２４を備えている。さらに、固定側にスプリング２９により上記ラチェット歯２４ａ…の側に付勢させた爪片２５を備えている。  
その他、詳説しないがラチェット金具１８，１９には、幅方向に２枚、並設したラチェット板２４の間に、上記爪片２５と上記ラチェット歯２４ａ…との係合、及び、解除を制御するカム板２６を適宜備えている。  
なお、図６（ａ）は、背凭れ部１３の傾斜角度調節用のラチェット１８の構造の説明図であり、図６（ｂ）は、頭部支持部１５の傾斜角度調節用のラチェット１９の構造の説明図である。
【００２６】
本実施形態における座椅子１１は、ラチェット金具１８における上記爪片２５を、上記ラチェット板２４における６つのラチェット歯２４ａ…のいずれかに係止させることにより、座部１２に対する背凭れ部１３の回転範囲、或いは、背部支持部１４に対する頭部支持部１５の回転範囲を６段階で角度調節が可能に構成している。  
また、上記座部１２、上記背部支持部１４、及び、上記頭部支持部１５は、図４（ａ），（ｂ）に示すように、それぞれに対応する内部に座部用芯材２７、背部支持用芯材２８、頭部支持用芯材３２を備えている。上述した座部フレーム１６、背部支持フレーム２２、及び、頭部支持フレーム２３は、それぞれ座部用芯材２７、背部支持用芯材２８、頭部支持用芯材３２の内部に埋設されている。
【００２７】
上記各芯材２７，２８，３２は、弾性、形状保持機能を備えたチップウレタンにより構成している。
【００２８】
さらに上記各芯材２７，２８，３２は、その外周に該芯材よりも柔軟性に優れた上記ウレタンフォーム３３で囲繞し、本実施形態における座椅子１１の外郭形状を構成している。
【００２９】
本実施形態における座椅子１１は、このような中材としての上記ウレタンフォーム３３により囲繞した座椅子１１本体を、袋状のカバー３４により収容して構成している。上記カバー３４は、ポリエステル素材により柔軟性を有して形成しているとともに、その周縁部に一対のスライドファスナが固着された上記スリット状の開口部を備えて形成している（図示せず）。
【００３０】
また、本実施形態における座椅子１１は、図１、及び、図４に示すように座部１２の内部における表面側には、ヒータ３５が埋設しているとともに、背部支持部１４の内部の表面側には、バイブレータ３６を埋設している。  
上記バイブレータ３６は、背部支持部１４における人体の腰部に相当する部位に２つ、背部に相当する部位に１つ、及び、肩部に相当する部位に２つの合計５つ配設している。
【００３１】
上記バイブレータ３６に接続されたコードは、一旦、座部１２側へと配されている。さらに、バイブレータ３６、及び、ヒータ３５を駆動するためのＡＣ１００Ｖ電源を供給するための電源用コード４１、及び、リモコン３７へ接続されたリモコン用コード３７ａが座部１２から外側へ配されている。  
なお、リモコン３７により、ヒータ３５、及び、上述した身体部位に対応するバイブレータ３６ごとの作動、或いは、停止が可能に構成するとともに、強弱の設置が可能に構成している。また、電源用コード４１、及び、リモコン用コード３７ａは、図１、及び、図４のみに示して他の図面においては、省略している。
【００３２】
本実施形態における座椅子１１は、上述したように構成し、以下のような作用、効果を奏することができる。
【００３３】
本実施形態における座椅子１１の利用者がリラックスした状態で着座する場合において、本実施形態における座椅子１１を、例えば、図７（ａ）に示すように座部１２に対して背凭れ部１３を反時計回りに例えば、３０度から６０度程度の比較的緩やかに傾斜させた姿勢として着座することができる。そして、着座しながら読書やテレビ鑑賞といった行為をする場合は、頭部支持部１５を背部支持部１４に対して適宜、作業に応じて所望の傾斜角になるよう傾斜させればよい。
【００３４】
具体的に、読書やテレビ鑑賞をするためには、利用者の手元や、座椅子１１に対して前方の視界が視え易くする必要があるため、図６（ａ）に示した姿勢から図６（ｂ）に示すように、頭部支持部１５を背部支持部１４に対して起こしていく。
【００３５】
なお、頭部支持部１５は、着座した状態から頭部支持部１５の背面側に手を配して傾けることによって容易に姿勢変更することができる。
【００３６】
以上により、従来の座椅子１１の場合、利用者は、座部１２に対して背凭れ部１３のみを急勾配に傾斜させた姿勢の座椅子１１に着座することになり、利用者にとって上半身全体が起きた状態となり負担を強いられる姿勢で着座していた。これに対して本実施形態における座椅子１１の場合、利用者の背凭れ部１３を、上述したような緩やかな傾斜角度の背部支持部１４によって支持され、しかも、頭部は、しっかりと頭部支持部１５によって支持した状態で起きた姿勢になるため、長時間、このような姿勢を維持しても疲れにくく、リラックスした状態で着座することができる。
【００３７】
上述の実施形態と、この考案の構成との対応において、この実施形態のラチェット金具１８，１９は、この考案のラチェット部材に対応するも、この考案は、上述の実施形態の形態のみに限定されるものではなく、多くの実施の形態を得ることができる。
【図面の簡単な説明】
【００３８】
【図１】本実施形態おける座椅子の外観図。
【図２】本実施形態おける座椅子の外観図。
【図３】本実施形態おける座椅子の外観図。
【図４】本実施形態おける座椅子の内部構成の説明図。
【図５】本実施形態おける座椅子の構成説明図。
【図６】本実施形態おける座椅子の構成説明図。
【図７】本実施形態おける座椅子の作用説明図。
【符号の説明】
【００３９】
１１…座椅子
１２…座部
１３…背凭れ部
１４…背部支持部
１５…頭部支持部
１８，１９…ラチェット金具
【図１】
0003130128.tif 000003
【図２】
0003130128.tif 000004
【図３】
0003130128.tif 000005
【図４】
0003130128.tif 000006
【図５】
0003130128.tif 000007
【図６】
0003130128.tif 000008
【図７】
0003130128.tif 000009